(57)【要約】【課題】液晶パネルの輝度ムラの発生を抑えることが可能な直下型の液晶パネル照明装置を提供する。【解決手段】冷陰極管３は、両端部をそれぞれランプホルダ４により支持され、中央部をランプポスト５により支持されていて、ランプホルダ４及びランプポスト５による支持によって、両端部が中央部よりも液晶パネル１に近くなるように撓んだ状態に保持されている。【選択図】図２
2008076441.tif 000002
【特許請求の範囲】
【請求項１】
液晶パネルの背面側に並べて配置される複数本の冷陰極管と、これらの冷陰極管の両端部をそれぞれ支持するランプホルダと、前記冷陰極管を前記ランプホルダ同士の間で支持するランプポストと、を備える液晶パネル照明装置において、
前記冷陰極管は、中央部を前記ランプポストにより支持されていて、前記ランプホルダ及び前記ランプポストによる支持によって、両端部が中央部よりも液晶パネルに近くなるように撓んだ状態に保持されていることを特徴とする液晶パネル照明装置。
【請求項２】
液晶パネルの背面側に並べて配置される複数本の冷陰極管と、これらの冷陰極管の両端部をそれぞれ支持するランプホルダと、前記冷陰極管を前記ランプホルダ同士の間で支持するランプポストと、を備える液晶パネル照明装置において、
前記冷陰極管は、前記ランプホルダ及び前記ランプポストによる支持によって、両端部が中央部よりも液晶パネルに近くなるように撓んだ状態に保持されていることを特徴とする液晶パネル照明装置。
【請求項３】
前記ランプポストが前記冷陰極管の中央部を支持していることを特徴とする請求項２に記載の液晶パネル照明装置。
【発明の詳細な説明】
【技術分野】
【０００１】
本発明は、液晶表示装置に組み込まれ、液晶パネルをその背面から照明する液晶パネル照明装置に関する。
【背景技術】
【０００２】
テレビや大型モニタ等の液晶表示装置には、その表示画面となる液晶パネルを背面から照明する一般にはバックライトと呼ばれる液晶パネル照明装置が組み込まれている。ここでの液晶パネル照明装置としては、いわゆる直下型のものが採用される。
【０００３】
従来の一般的な直下型の液晶パネル照明装置では、図５〜図７に示すように、液晶パネル１０１の背面側を覆うケース１０２の内側に、光源である冷陰極管１０３が複数本互いに平行に並べて配置されている（例えば、特許文献１、２参照）。冷陰極管１０３は、両端部をそれぞれケース１０２に固定のランプホルダ１０４により支持され、更にそのランプホルダ１０４同士の間を例えば２箇所ずつケース１０２に固定のランプポスト１０５により支持されている。ここでの冷陰極管１０３は、細長い管状で少なからず撓むものであるが、そのランプホルダ１０４及びそのランプポスト１０５による支持によって、撓みが抑えられた状態で、端から端まで液晶パネル１０１と一定の間隔をあけて保持されている（図６参照）。
【０００４】
また、ケース１０２の内面には反射板１０８が重ねられ、液晶パネル１０１の背面には拡散板１０９が重ねられる（図６、図７参照）。
【０００５】
そして、冷陰極管１０３は、管内に例えばアルゴンガスと適量の水銀が封入され、内壁には蛍光体が塗布されていて、両端面には、内部の電極に接続された端子がそれぞれ設けられている。各端子には、給電線が電気的に接続されている。給電線より冷陰極管１０３内の電極に端子を通じて高電圧が印加されると、冷陰極管１０３内に放電が生じて紫外線が放射され、これにより、蛍光体が励起されて可視光線を発光する。その可視光線は、直接又は反射板１０８による反射を経て拡散板１０９に達し、その拡散板１０９を通じて拡散して液晶パネル１０１全域を背面から照明する。
【特許文献１】特開２００４−３１８１７６号公報
【特許文献２】特開２００２−３３３８４２号公報
【発明の開示】
【発明が解決しようとする課題】
【０００６】
ところで、厳密には、冷陰極管１０３の特質としてその両端部の輝度が他の部分よりも低くなるため、上記した従来の液晶パネル照明装置のように、冷陰極管１０３が端から端まで液晶パネル１０１と一定の間隔をあけて保持されている場合、液晶パネル１０１に対しての照度が冷陰極管１０３の両端部に対応する部分で他の部分よりも低くなる。そうすると、液晶パネル１０１では、冷陰極管１０３の両端部の直上に相当する部分が局部的に暗くなり、輝度ムラが発生してしまう。
【０００７】
そこで本発明は、上記の問題に鑑みてなされたものであり、液晶パネルの輝度ムラの発生を抑えることが可能な直下型の液晶パネル照明装置を提供することを目的とするものである。
【課題を解決するための手段】
【０００８】
上記目的を達成するため、本発明による液晶パネル照明装置は、液晶パネルの背面側に並べて配置される複数本の冷陰極管と、これらの冷陰極管の両端部をそれぞれ支持するランプホルダと、前記冷陰極管を前記ランプホルダ同士の間で支持するランプポストと、を備える液晶パネル照明装置において、次の点を特徴とする。前記冷陰極管は、中央部を前記ランプポストにより支持されていて、前記ランプホルダ及び前記ランプポストによる支持によって、両端部が中央部よりも液晶パネルに近くなるように撓んだ状態に保持されている。
【０００９】
このような構成にすれば、たとえ冷陰極管の輝度が両端部で低くても、その両端部が中央部よりも液晶パネルに近づいた格好で保持されているため、液晶パネルに対しての照度は、実質、冷陰極管に沿う方向に端から端までほぼ均一になる。従って、液晶パネルでは、全域にわたって均一な明るさとなる。
【００１０】
また、上記目的を達成するための本発明による液晶パネル照明装置は、液晶パネルの背面側に並べて配置される複数本の冷陰極管と、これらの冷陰極管の両端部をそれぞれ支持するランプホルダと、前記冷陰極管を前記ランプホルダ同士の間で支持するランプポストと、を備える液晶パネル照明装置において、前記冷陰極管は、前記ランプホルダ及び前記ランプポストによる支持によって、両端部が中央部よりも液晶パネルに近くなるように撓んだ状態に保持されている。
【００１１】
このような構成にしても、たとえ冷陰極管の輝度が両端部で低くても、その両端部が中央部よりも液晶パネルに近づいた格好で保持されているため、液晶パネルに対しての照度は、実質、冷陰極管に沿う方向に端から端までほぼ均一になる。従って、液晶パネルでは、全域にわたって均一な明るさとなる。
【００１２】
ここで、実用的には、前記ランプポストが前記冷陰極管の中央部を支持していることが好ましい。
【発明の効果】
【００１３】
本発明の液晶パネル照明装置によれば、液晶パネル全域にわたって均一な明るさとなり、液晶パネルの輝度ムラの発生が抑えられる。
【発明を実施するための最良の形態】
【００１４】
以下に、本発明の一実施形態である液晶パネル照明装置について、図面を参照しながら詳述する。図１は本発明の一実施形態である液晶パネル照明装置の平面図、図２はそのＡ−Ａ断面図、図３はそのＢ−Ｂ断面図である。なお、図２、図３では、液晶表示装置の構成要素である液晶パネルと拡散板も説明の便宜上図示している。
【００１５】
本実施形態の液晶パネル照明装置では、図１〜図３に示すように、液晶パネル１の背面側を覆うケース２の内側に、光源である冷陰極管３が複数本互いに平行に並べて配置されている。冷陰極管３は、両端部をそれぞれケース２に固定のランプホルダ４により支持され、更に中央部を１箇所ずつケース２に固定のランプポスト５により支持されている。ここでの冷陰極管３は、直径が３ｍｍ程度の細長い管状で少なからず撓むものであり、そのランプホルダ４及びそのランプポスト５による支持によって、両端部が中央部よりも液晶パネル１に近くなるように撓んだ状態に保持されている（図２参照）。
【００１６】
具体的には、ランプホルダ４は、冷陰極管３の端部が嵌め込まれた後、突起４ａがケース２に形成の貫通穴（不図示）に挿入されてケース２上で位置決めされ、その上からスペーサ６を間に介在させてランプフレーム７が被せられる。そのランプフレーム７とケース２とがビス等で締結されることにより、ランプホルダ４は冷陰極管３の端部を支持しつつケース２上に固定される。
【００１７】
一方ランプポスト５は、突起５ａがケース２に形成の貫通穴（不図示）に挿入されて係合することにより、ケース２上に固定される。ランプポスト５には、液晶パネル１側に位置する部分で口の開いたＣの字状の突片部５ｂが形成されている。ランプホルダ４で支持された冷陰極管３は、強制的に撓ませられながら、中央部がランプポスト５の突片部５ｂ内に嵌め込まれる。本実施形態では、冷陰極管３を支持する部分のケース２からの高さに関して、ランプホルダ４での支持部分の方がランプポスト５での支持部分よりも高くなっている。
【００１８】
こうして、冷陰極管３は、ランプホルダ４及びランプポスト５により支持されて、その支持によって撓んだ姿勢で保持され、液晶パネル１との間隔に関し、両端部が中央部よりも液晶パネル１に近づいた格好になっている。
【００１９】
また、ケース２の内面には反射板８が重ねられ、液晶パネル１の背面には拡散板９が重ねられる（図２、図３参照）。つまり、冷陰極管３の背面側には反射板８が配設され、液晶パネル１と冷陰極管３との間に拡散板９が配設されることになる。
【００２０】
そして、冷陰極管３からの可視光線は、直接又は反射板８による反射を経て拡散板９に達し、その拡散板９を通じて拡散して液晶パネル１全域を背面から照明する。その際、本実施形態では、たとえ冷陰極管３の輝度が両端部で低くても、その両端部が中央部よりも液晶パネル１に近づいた格好で保持されているため、液晶パネル１に対しての照度は、実質、冷陰極管３に沿う方向に端から端までほぼ均一になる。従って、液晶パネル１では、全域にわたって均一な明るさとなり、輝度ムラの発生が抑えられる。
【００２１】
なお、その他本発明は上記の実施形態に限定されず、本発明の趣旨を逸脱しない範囲で、種々の変更が可能である。例えば、ランプポスト５による冷陰極管３の支持位置については、上記の実施形態では冷陰極管３の中央部を１箇所としているが、ランプホルダ４同士の間である限り、中央部以外の位置であってもよいし、複数個所であってもよい。もっとも、上記の実施形態のように、ランプポスト５による冷陰極管３の支持位置を中央部１箇所とした場合、冷陰極管３の撓み量を容易に設定できることから実用的である。
【００２２】
また、ランプポスト５における冷陰極管３を支持する部分については、上記の実施形態では液晶パネル１側で口の開いたＣの字状の突片部５ｂとしているが、これに限らず、図４に示すように、そのＣの字状の突片部５ｂが液晶パネル側とは直角な方向で口の開いたものであってもよい。
【産業上の利用可能性】
【００２３】
本発明は、直下型の液晶パネル照明装置に有用である。
【図面の簡単な説明】
【００２４】
【図１】本発明の一実施形態である液晶パネル照明装置の平面図である。
【図２】図１の液晶パネル照明装置のＡ−Ａ断面を示す断面図である。
【図３】図１の液晶パネル照明装置のＢ−Ｂ断面を示す断面図である
【図４】本発明の液晶パネル照明装置の変形例を示す断面図である
【図５】従来の液晶パネル照明装置の平面図である。
【図６】図５の液晶パネル照明装置のＣ−Ｃ断面を示す断面図である。
【図７】図５の液晶パネル照明装置のＤ−Ｄ断面を示す断面図である
【符号の説明】
【００２５】
１    液晶パネル
２    ケース
３    冷陰極管
４    ランプホルダ
４ａ    突起
５    ランプポスト
５ａ    突起
５ｂ    突片部
６    スペーサ
７    ランプフレーム
８    反射板
９    拡散板
【図１】
2008076441.tif 000003
【図２】
2008076441.tif 000004
【図３】
2008076441.tif 000005
【図４】
2008076441.tif 000006
【図５】
2008076441.tif 000007
【図６】
2008076441.tif 000008
【図７】
2008076441.tif 000009